【手続補正書】
【提出日】平成22年5月20日(2010.5.20)
【手続補正１】
【補正対象書類名】明細書
【補正対象項目名】特許請求の範囲
【補正方法】変更
【補正の内容】
【特許請求の範囲】
【請求項１】  距離の長い方の共役点を第１共役点、距離の短い方の共役点を第２共役点としたとき、該第１共役点側から順に、
負の屈折力の第１レンズ群、正の屈折力の第２レンズ群、第３レンズ群、正の屈折力の第４レンズ群、負の屈折力の第５レンズ群、正の屈折力の第６レンズ群より構成され、
広角端のズーム位置から望遠端のズーム位置への変倍に際して、該第２レンズ群と、第４レンズ群は、第１共役点側に移動し第５レンズ群は第２共役点側へ移動することを特徴とするズームレンズ。
【請求項２】  広角端のズーム位置から望遠端のズーム位置への変倍に際して、
前記第２レンズ群と第３レンズ群の間隔が広くなり、
前記第３レンズ群と第４レンズ群の間隔が狭くなり
前記第３レンズ群は、広角端に比べ望遠端のズーム位置において第１共役点側に位置するように移動することを特徴とする請求項１のズームレンズ。
【請求項３】  前記第６レンズ群は変倍中固定であることを特徴とする請求項１のズームレンズ。
【請求項４】  前記第１レンズ群は変倍中固定であることを特徴とする請求項１のズームレンズ。
【請求項５】  広角端のズーム位置から望遠端のズーム位置への変倍に際して前記第ｉレンズ群の移動量をＭｉとしたとき
０．３＜Ｍ４／Ｍ２＜ １．５
−８．０＜Ｍ４／Ｍ５＜−０．５
を満足することを特徴とする請求項１から４のいずれか１項のズームレンズ。
【請求項６】  前記第ｉレンズ群の広角端と望遠端での結像倍率を各々βｉｗ，βｉｔ、全系の広角端と望遠端のズーム位置での焦点距離を各々ｆｗ，ｆｔとし、
Ｚｉ＝βｉｔ／βｉｗ
Ｚ  ＝ｆｔ／ｆｗ
としたとき
０．８＜Ｚ４／Ｚ＜３
を満足することを特徴とする請求項１から５のいずれか１項のズームレンズ。
【請求項７】  前記第ｉレンズ群の焦点距離をｆｉ、全系の広角端と望遠端での焦点距離をｆｗ，ｆｔとしたとき
０．４＜｜ｆ１／ｆ２｜＜１．２
【数１】
2001350096.tif 000001
を満足することを特徴とする請求項１から６のいずれか１項のズームレンズ。
【請求項８】  前記第ｉレンズ群の焦点距離をｆｉとしたとき
０．９＜ｆ２／ｆ４＜１．６
を満足することを特徴とする請求項１から７のいずれか１項のズームレンズ。
【請求項９】  前記第ｉレンズ群の焦点距離をｆｉ、全系の広角端の焦点距離をｆｗとしたとき
１＜｜ｆ１｜／ｆｗ＜２
を満足することを特徴とする請求項１から８のいずれか１項のズームレンズ。
【請求項１０】  前記第ｉレンズ群の焦点距離をｆｉ、バックフォーカスをｂｆとしたとき
０．５＜ｂｆ／ｆ６＜１．５
０．９｜ｆ１｜／ｂｆ＜２．２
を満足することを特徴とする請求項１から９のいずれか１項のズームレンズ。
【請求項１１】  広角端において第２共役点から射出瞳までの距離をｔｋ、全系の広角端での焦点距離をｆｗとするとき
｜ｔｋ｜／ｆｗ＞４．０
を満足することを特徴とする請求項１から１０のいずれか１項のズームレンズ。
【請求項１２】  前記第ｉレンズ群の焦点距離をｆｉ、全系の広角端の焦点距離をｆｗとしたとき
０．８＜ｆ６／ｆｗ＜１．３
を満足することを特徴とする請求項１から１１のいずれか１項のズームレンズ。
【請求項１３】  前記第ｉレンズ群の焦点距離をｆｉ、全系の広角端と望遠端の焦点距離をｆｗ，ｆｔとしたとき
【数２】
2001350096.tif 000002
を満足することを特徴とする請求項１から１２のいずれか１項のズームレンズ。
【請求項１４】  前記第１レンズ群は１以上の負レンズを有し、このうち１つの負レンズの材質のアッベ数をν１、該１以上の負レンズの材質のアッベ数の平均値をν１ｎとしたとき
ν１ ＞６５
ν１ｎ＞７０
を満足することを特徴とする請求項１から１３のいずれか１項のズームレンズ。
【請求項１５】  請求項１から１４のいずれか１項のズームレンズを用いて投影像原画をスクリーン面上に投影していることを特徴とする投影装置。
【手続補正２】
【補正対象書類名】明細書
【補正対象項目名】００２０
【補正方法】変更
【補正の内容】
【００２０】
請求項２の発明は請求項１の発明において、広角端のズーム位置から望遠端のズーム位置への変倍に際して、
前記第２レンズ群と第３レンズ群の間隔が広くなり、
前記第３レンズ群と第４レンズ群の間隔が狭くなり
前記第３レンズ群は、広角端に比べ望遠端のズーム位置において第１共役点側に位置するように移動することを特徴としている。
【手続補正３】
【補正対象書類名】明細書
【補正対象項目名】００２１
【補正方法】変更
【補正の内容】
【００２１】
請求項３の発明は請求項１の発明において、前記第６レンズ群は変倍中固定であることを特徴としている。
【手続補正４】
【補正対象書類名】明細書
【補正対象項目名】００２２
【補正方法】変更
【補正の内容】
【００２２】
請求項４の発明は請求項１の発明において、第１レンズ群は変倍中固定であることを特徴としている。
【手続補正５】
【補正対象書類名】明細書
【補正対象項目名】００２３
【補正方法】変更
【補正の内容】
【００２３】
請求項５の発明は請求項１から４のいずれか１項の発明において、広角端のズーム位置から望遠端のズーム位置への変倍に際して前記第ｉレンズ群の移動量をＭｉとしたとき
０．３＜Ｍ４／Ｍ２＜  １．５ ‥‥‥（１）
−８．０＜Ｍ４／Ｍ５＜−０．５ ‥‥‥（２）
を満足することを特徴としている。
【手続補正６】
【補正対象書類名】明細書
【補正対象項目名】００２４
【補正方法】変更
【補正の内容】
【００２４】
請求項６の発明は請求項１から５のいずれか１項の発明において、前記第ｉレンズ群の広角端と望遠端での結像倍率を各々βｉｗ，βｉｔ、全系の広角端と望遠端のズーム位置での焦点距離を各々ｆｗ，ｆｔとし、
Ｚｉ＝βｉｔ／βｉｗ
Ｚ ＝ｆｔ／ｆｗ
としたとき
０．８＜Ｚ４／Ｚ＜３ ‥‥‥（３）
を満足することを特徴としている。
【手続補正７】
【補正対象書類名】明細書
【補正対象項目名】００３１
【補正方法】変更
【補正の内容】
【００３１】
請求項１１の発明は請求項１から１０のいずれか１項の発明において、広角端において第２共役点から射出瞳までの距離をｔｋ、全系の広角端での焦点距離をｆｗとするとき
｜ｔｋ｜／ｆｗ＞４．０ ‥‥‥（１１）
を満足することを特徴としている。
【手続補正８】
【補正対象書類名】明細書
【補正対象項目名】００３４
【補正方法】変更
【補正の内容】
【００３４】
【数４】
2001350096.tif 000003
【手続補正９】
【補正対象書類名】明細書
【補正対象項目名】００８４
【補正方法】変更
【補正の内容】
【００８４】
（イ−１０）広角端において第２共役点から射出瞳までの距離をｔｋ、全系の広角端での焦点距離をｆｗとするとき
｜ｔｋ｜／ｆｗ＞４．０ ‥‥‥（１１）
を満足することである。
【手続補正１０】
【補正対象書類名】明細書
【補正対象項目名】００９１
【補正方法】変更
【補正の内容】
【００９１】
【数６】
2001350096.tif 000004
【手続補正１１】
【補正対象書類名】明細書
【補正対象項目名】０１２３
【補正方法】変更
【補正の内容】
【０１２３】
【表１】
2001350096.tif 000005